(57)【要約】      （修正有）【課題】ユーザーが自力で繰り返し椅子を揺動させることなしに、揺動が楽しめる振り子式電動揺り椅子を提供する。【解決手段】椅子面部１１と椅子底部１２を有する枠体からなるシート１０と、該シート１０を吊るす椅子フレーム２０と、シート１０の椅子底部１２に設置され、シート１０を往復させる駆動器３０と、足踏み板４４が設置される連動機構４０と、傾斜自在のシートバック５０と、ヘッドレスト部６２により、振り子式電動揺り椅子を構成する。【選択図】図２
0003154780.tif 000002
【実用新案登録請求の範囲】
【請求項１】
椅子面部と椅子底部を有する枠体で、上記椅子面部の両側の後端に、スピンドル孔が形成され、上記椅子底部に、枢着孔座が形成され、両側から上へ支持棒が延び、支持棒の上端に、吊るし孔が形成されるシートと、
両側の上端から下へ吊るしアームが設置され、吊るしアームに、シートの吊るし孔が枢着され、後端に、当接部が設置される椅子フレームと、
シートの椅子底部に固定され、軸心に、偏向部材が設置され、上記偏向部材に、コンロッドが連結され、コンロッドと駆動器との軸心が、ランアウト状になり、上記コンロッドの伸び端が、椅子フレームの当接部に枢着される駆動器と、
対称的にシートの両側に設置され、シート端に面する側に、連動孔が形成され、外端に面する側に、足踏み板が設置される連動機構と、
底端の両側にある棒体に、推進孔が形成され、上記推進孔と連動機構の連動孔とが枢着され、推進孔から棒体内端の適当な位置まで、転動孔が形成され、転動孔により、シートのスピンドル孔に枢着され、底端の中央に、傾斜アームが設置され、上端に、二つの穿孔が形成されるシートバックと、
両端に、それぞれ、位置付け端と伸縮端が形成され、上記位置付け端が、シートの枢着孔座に結合され、上記伸縮端が、シートバックの傾斜アームに枢着される伸縮部材と、
調整部材に、シートバックの穿孔に挿設される二つの調整棒が突出するヘッドレスト部と、
が含有される
ことを特徴とする振り子式電動揺り椅子。
【請求項２】
上記椅子フレームの底面に、椅子フレームの摺動のための複数のローラーが設置されることを特徴とする請求項１に記載の振り子式電動揺り椅子。
【請求項３】
上記椅子面部の両側の前端に、第１の枢着孔と第２の枢着孔が形成され、連動機構に、第１の転動孔と第２の転動孔が形成され、第１の転動孔及び第２の転動孔とシートの第１の枢着孔及び第２の枢着孔とにより、椅子が、結合されることを特徴とする請求項１に記載の振り子式電動揺り椅子。
【請求項４】
上記駆動器と伸縮部材の入力端に、電気的制御装置が接続され、上記電気的制御装置により、シートバックの傾き角度を調整でき、また、シートの振り子の速度を制御できることを特徴とする請求項１に記載の振り子式電動揺り椅子。
【請求項５】
上記電気的制御装置に、過負荷保護器が接続され、過負荷の時、即時に、電源を遮断できることを特徴とする請求項４に記載の振り子式電動揺り椅子。
【請求項６】
上記電気的制御装置に、タイマーが接続され、上記タイマーで、振り子の自動停止時間を設定できることを特徴とする請求項４に記載の振り子式電動揺り椅子。
【考案の詳細な説明】
【技術分野】
【０００１】
本考案は、揺り椅子構造に関し、さらに詳しくは振り子式揺り椅子、特に、振り子式電動揺り椅子に関する。
【背景技術】
【０００２】
従来の揺り椅子構造は、主として、椅子主体の下方にある足棒に、円弧状長尺板が結合され、上記円弧状長尺板の前端に、足踏み板が設置されてあり、ユーザーがその椅子に座る時、人の重力で、その円弧状長尺板に、支持点を置いて、自在に前後へ揺動させることができる。
【０００３】
上記のようにして、椅子主体が揺動するが、上記の従来の揺り椅子構造によれば、次の如き欠点が指摘されている。
すなわち、上記構造は、主として、椅子主体の底部にある円弧状長尺板を揺動の支持点とし、揺動するものであるため、ユーザー自身が、足で力を加えることにより、椅子全体が、慣性作用により、持続的に揺動するものである。
【０００４】
揺り椅子の設計には、気楽さ且つ安楽さを満足させることが要求され、それに座った人が、自身で力を加えなくても揺動することにより、気持ちや体を休ませることができるものである必要がある。ユーザーが、自力で揺動させる必要がある椅子では、十分に休養をとることができず、従来の上記揺り椅子は、慣性力が消えると、揺れがなくなり、ユーザーが、再び、自力で揺動させることが必要である。そのため、全身的にリラックスする効果が得られないという難点があった。また、上記椅子の主体が、固定構造であり、そのシートバックの傾き角度を調整できず、使用の際に、自由にもっとも快適な角度に調整できないため、実用性が低いものであった。
【考案の開示】
【考案が解決しようとする課題】
【０００５】
従って、本考案の課題は、上記の如き従来の揺り椅子の問題点に鑑み、ユーザーが自力で繰り返し椅子を揺動させることなしに、揺動が楽しめる、安楽で快適な揺り椅子を提供する点にある。
【課題を解決するための手段】
【０００６】
そこで、本考案者は、上記の欠点を解消し、本考案の課題を解決するため、鋭意研究を重ね、学理を活用して検討した結果、椅子底部に、電気式制御方式により制御される駆動器を備え、これに偏向部材を結合し、さらに、コンロッドを枢着させ、往復に作動させることにより、振り子の作用効果を利用することに着目し、かかる知見に基いて本考案の完成に到達した。
【０００７】
かくして、請求項１に係る本考案によれば、
椅子面部と椅子底部を有する枠体で、上記椅子面部の両側の後端に、スピンドル孔が形成され、上記椅子底部に、枢着孔座が形成され、両側から上へ支持棒が延び、支持棒の上端に、吊るし孔が形成されるシートと、
両側の上端から下へ吊るしアームが設置され、吊るしアームに、シートの吊るし孔が枢着され、後端に、当接部が設置される椅子フレームと、
シートの椅子底部に固定され、軸心に、偏向部材が設置され、上記偏向部材に、コンロッドが連結され、コンロッドと駆動器との軸心が、ランアウト状になり、上記コンロッドの伸び端が、椅子フレームの当接部に枢着される駆動器と、
対称的にシートの両側に設置され、シート端に面する側に、連動孔が形成され、外端に面する側に、足踏み板が設置される連動機構と、
底端の両側にある棒体に、推進孔が形成され、上記推進孔と連動機構の連動孔とが枢着され、推進孔から棒体内端の適当な位置まで、転動孔が形成され、転動孔により、シートのスピンドル孔に枢着され、底端の中央に、傾斜アームが設置され、上端に、二つの穿孔が形成されるシートバックと、
両端に、それぞれ、位置付け端と伸縮端が形成され、上記位置付け端が、シートの枢着孔座に結合され、上記伸縮端が、シートバックの傾斜アームに枢着される伸縮部材と、
調整部材に、シートバックの穿孔に挿設される二つの調整棒が突出するヘッドレスト部と、
が含有される
ことを特徴とする振り子式電動揺り椅子、
が提供される。
【０００８】
請求項２の考案によれば、椅子フレームの底面に、椅子フレームの摺動のための複数のローラーが設置されることを特徴とする請求項１に記載の振り子式電動揺り椅子が提供される。
【０００９】
請求項３の考案によれば、椅子面部の両側の前端に、第１の枢着孔と第２の枢着孔が形成され、連動機構に、第１の転動孔と第２の転動孔が形成され、第１の転動孔及び第２の転動孔とシートの第１の枢着孔及び第２の枢着孔とにより、椅子が、結合されることを特徴とする請求項１に記載の振り子式電動揺り椅子が提供される。
【００１０】
請求項４の考案によれば、駆動器と伸縮部材の入力端に、電気的制御装置が接続され、上記電気的制御装置により、シートバックの傾き角度を調整でき、また、シートの振り子の速度を制御できることを特徴とする請求項１に記載の振り子式電動揺り椅子が提供される。
【００１１】
請求項５の考案によれば、電気的制御装置に、過負荷保護器が接続され、過負荷の時、即時に、電源を遮断できることを特徴とする請求項４に記載の振り子式電動揺り椅子が提供される。
【００１２】
請求項６の考案によれば、電気的制御装置に、タイマーが接続され、上記タイマーで、振り子の自動停止時間を設定できることを特徴とする請求項４に記載の振り子式電動揺り椅子が提供される。
【００１３】
上記の通り、本考案は、
シートが、椅子フレームに吊るされ、シートの椅子底部に、駆動器が固定され、上記駆動器が、電気的制御方式によって制御され、上記駆動器の軸心に、偏向部材が結合され、また、偏向部材に、コンロッドが枢着され、コンロッドを往復に作動することにより、シートが揺れ、振り子の作動効果が得られる電動揺り椅子が実現され、その快適性や実用性が改善された振り子式電動揺り椅子を提供するものである。
【考案の効果】
【００１４】
本考案は、上記の如き構成からなり、椅子底部に設けた駆動器が電気制御方式によって人力によることなく、ユーザーの選択に応じてシートの揺動動作を行うことができる。また、シートバックの角度と足踏み板の角度とを連動させ任意に調整できるようにしたので、上記の揺動動作とシートバックおよび足踏み板の角度調整が併せて可能な点で著しく顕著な効果を奏する。
【考案を実施するための最良の形態】
【００１５】
以下、図面を参照しながら、本考案の特徴や技術内容について、詳しく説明する。もっとも、それらの図面等は、参考や説明のためであり、本考案は、それによって限定されるものではない。
【００１６】
図１乃至図３を参照しながら、本考案に係る振り子式電動揺り椅子について詳細に説明する。
【００１７】
本考案に係る振り子式電動揺り椅子は、電気的制御方式により、前後方向に、振り子のように、揺動することができる揺り椅子構造であり、シート１０と椅子フレーム２０、駆動器３０、連動機構４０、シートバック５０、伸縮部材６０及びヘッドレスト部７０から構成されるものである。
【００１８】
シート１０は、椅子面部１１と椅子底部１２を有する枠体で、上記椅子面部１１の両側の後端に、スピンドル孔１１１が形成される。また、両側の前端に、第１の枢着孔１１２と第２の枢着孔１１３が形成され、上記椅子底部１２に、枢着孔座１２１が形成され、両側から上へ支持棒１３が伸び、支持棒１３の上端に、吊るし孔１３１が形成される。また、上記シート１０と支持棒１３との間に、強化管１３２が設置され、これにより、シート１０の構造強度が向上される。椅子フレーム２０は、両側の上端から下へ吊るしアーム２１が設置され、吊るしアーム２１に、シート１０の吊るし孔１３１が枢着されて、シート１０が、揺れるように、吊るされ、後端に、当接部２２が設置される。また、椅子フレーム２０の底面に、複数のローラー２３が設置され、これにより、椅子フレーム２０が摺動できる。
【００１９】
駆動器３０は、シート１０の椅子底部１２に固定され、軸心に、偏向部材３１が設置され、上記偏向部材３１に、コンロッド３２が連結され、コンロッド３２と駆動器３０との軸心が、ランアウト状になる。これにより、コンロッド３２が、偏向部材３１により連動されて、駆動器３０の軸心の周りに沿って回転できる。
【００２０】
また、上記コンロッド３２の伸び端３２１が、椅子フレーム２０の当接部２２に枢着される。
【００２１】
連動機構４０は、対称的にシート１０の両側に設置され、第１の転動孔４１及び第２の転動孔４２とシート１０の第１の枢着孔１１２及び第２の枢着孔１１３とにより、椅子が、結合され、上記連動機構４０は、シート端に面する側に、連動孔４３が形成される。
【００２２】
また、外端に面する側に、足踏み板４４が設置され、シートバック５０は、底端の両側にある棒体に、推進孔５１が形成され、上記推進孔５１と連動機構４０の連動孔４３とが枢着される。また、上記シートバック５０は、推進孔５１から棒体内端の適当な位置まで、転動孔５２が形成され、シートバック５０が、転動孔５２で、シート１０のスピンドル孔１１１に枢着され、シートバック５０の底端の中央に、傾斜アーム５３が突出する。  また、シートバック５０の上端に、二つの穿孔５４が形成され、伸縮部材６０は、両端に、それぞれ、位置付け端６１と伸縮端６２が形成され、上記位置付け端６１が、シート１０の枢着孔座１２１に結合され、上記伸縮端６２が、シートバック５０の傾斜アーム５３に枢着される。
【００２３】
これにより、伸縮部材６０の伸縮により、連動シートバック５０の傾きが連動され、ヘッドレスト部７０は、調整部材７１に、シートバック５０の穿孔５４に挿設される二つの調整棒７２が突出する。
【００２４】
本考案に係る揺り椅子を組立てる場合には、図２と図４及び図５のように、椅子フレーム２０により、地面に支持され、椅子フレーム２０の両側の上端に、シート１０を吊るすための吊るしアーム２１があり、そのシート１０が、両側にある支持棒１３の吊るし孔１３１で、吊るしアーム２１に枢着される。
【００２５】
また、上記シート１０の椅子底部１２に、駆動器３０が固定され、駆動器３０の偏向部材３１端に、コンロッド３２が結合され、コンロッド３２の伸び端３２１が、椅子フレーム２０の当接部２２に枢着される。
【００２６】
また、連動機構４０は、それぞれ、シート１０の両側に実装され、また、第１の転動孔４１及び第２の転動孔４２とシート１０の第１の枢着孔１１２及び第２の枢着孔１１３とにより、椅子に結合される。また、連動機構４０の外側端に、足踏み板４４が結合され、シートバック５０の転動孔５２が、対称的にシート１０のスピンドル孔１１１に枢着される。また、上記シートバック５０の推進孔５１と連動機構４０の連動孔４３とが枢着される。
【００２７】
また、シートバック５０とシート１０との間に、伸縮部材６０が結合され、その伸縮部材６０は、位置付け端６１が、シート１０の枢着孔座１２１に結合され、伸縮端６２が、シートバック５０の傾斜アーム５３に枢着され、最後に、ヘッドレスト部７０の調整棒７２が、シートバック５０の穿孔５４に挿設されることにより、組み立てが終了する。
【００２８】
そのシートバック５０と足踏み板４４の傾き作動は、図２と図５及び図６のように、上記伸縮部材６０は、位置付け端６１が、シート１０の枢着孔座１２１に結合され、伸縮部材６０の伸縮端６２が、シートバック５０の傾斜アーム５３に結合される。シートバック５０が、後へ傾斜しない場合、伸縮部材６０が、外へ押出されるように長く伸び、シートバック５０が、後へ傾斜する場合、電気的制御方式により、伸縮部材６０が、収縮作動を行い、シートバック５０の傾斜アーム５３を引いて、シートバック５０が、転動孔５２を軸心とし、後へ傾くように作動し、傾く過程中、そのシートバック５０の推進孔５１が、傾く動作とともに、シート１０の前端にある連動機構４０へ進み、連動機構４０の連動孔４３が、同期に前へ推され、連動機構４０を利用して、足踏み板４４も、同時に、上へ傾くようになる。これにより、足踏み板４４が、水平に足部を支持する効果が得られる（図７のように）。逆に、伸縮部材６０の長く伸びる作動により、シートバック５０と足踏み板４４とが、同期に元の位置に戻る。その伸縮部材６０が、ユーザーによって適宜制御できるので、必要とする傾き角度に調整され、快適性を確保することができる。
【００２９】
シート１０が、振り子のように作動する場合、図７乃至図９のように、そのシート１０の椅子底部１２に、駆動器３０が固定され、上記駆動器３０が、電気的制御方式によって制御される。上記駆動器３０の軸心に、偏向部材３１が結合され、また、偏向部材３１に、コンロッド３２が枢着され、コンロッド３２の伸び端３２１が、椅子フレーム２０の当接部２２に枢着されるため、駆動器３０が転動する時、その偏向部材３１が、同期に転動し、また、上記コンロッド３２と駆動器３０との軸心が、ランアウト状に設置されるため、コンロッド３２と偏向部材３１との結合部位が、ループ状に転動し、コンロッド３２が往復に作動する。コンロッド３２の伸び端３２１が、椅子フレーム２０の当接部（抵当部）２２によって抵当されることにより、上記往復作動の作用力が、逆方向に駆動器３０に加えられる。
【００３０】
また、上記シート１０が、椅子フレーム２０の吊るしアーム２１により吊るして枢着されることにより、そのシート１０が、吊るし孔１３１を軸心とし、また、椅子フレーム２０を、支持固定点とし、前後方向に往復に揺動することができる。即ち、コンロッド３２によって推進された距離の振り子のように作動でき、また、連動機構４０やシートバック５０、伸縮部材６０及びヘッドレスト部７０は、シート１０だけと結合するため、シート１０と同期に振り子の作動を行い、そのため、電動揺り椅子の効果が得られる。
【００３１】
制御について、図２と図１０のように、その駆動器３０と伸縮部材６０が、電気的制御方式によって制御され、上記駆動器３０と伸縮部材６０の入力端に、電気的制御装置８０が接続され、上記電気的制御装置８０により、シートバック５０の傾き角度が調整され、また、シート１０の振り子速度が制御される。          
【００３２】
上記電気的制御装置８０に、過負荷保護器８１が接続され、過負荷の場合、即時に、電源を遮断でき、これにより、過負荷による構造故障を防止できる。  
【００３３】
振り子作動を行う場合、電気的制御装置８０のタイマー８２端により自動停止時間を設定できる。また、振り子作動を停止する場合、そのシート１０と駆動器３０との間に、検知装置（図未表示）が設置され、検知装置の検知により、電気的制御装置８０が、シート１０が揺動状態であるかを判断し、揺動状態ではない場合、シート１０を、揺動状態から水平に座る状態に戻す。このように、電気的制御装置８０による制御効果により使用効率が向上する。
【００３４】
また、図１１と図１２のように、そのヘッドレスト部７０は、調整部材７１から二つの調整棒７２が伸び、上記調整棒７２の棒体に、複数の係止溝７２１が形成され、調整棒７２が、シートバック５０の穿孔５４同士間の摺動調整により、穿孔５４に係合する係止溝７２１が変化し、これにより、多段にヘッドレスト部７０の高さを調整する効果が得られる。また、調整部材７１の内部に、主、副調整フレーム７１１、７１２によりが設置され、上記主、副調整フレーム７１１、７１２は、それぞれ、主、副歯ブロック７１３、７１４が組立てられ、主、副歯ブロック７１３、７１４の噛合い位置を変化することにより、主、副調整フレーム７１１、７１２の相対位置が変化し、これにより、ヘッドレスト部７０の多段ランアウト位置調整が実現される。また、ヘッドレスト部７０の内部に、音楽を放送するためのスピーカ装置が実装される。
【００３５】
以上の説明から、本考案は、より進歩的かつより実用的であることは明らかであり、ここに、法に従って実用新案登録を求めるものである。
【００３６】
以上は、本考案のより良い実施例であり、本考案は、それによって限定されることが無く、本考案に係る考案登録請求の範囲や明細書の内容に基づいて行った等価の変更や修正は、全てが、本考案の範囲内に含まれることは明らかである。
【図面の簡単な説明】
【００３７】
【図１】本考案の実施の形態による振り子式電動揺り椅子を示す立体組立て図である。
【図２】本考案の実施の形態による振り子式電動揺り椅子を示す立体分解図である。
【図３】本考案の実施の形態による振り子式電動揺り椅子のシートと椅子フレームの立体組立て図である。
【図４】本考案の実施の形態による振り子式電動揺り椅子の駆動器部位の側面断面図である。
【図５】本考案の実施の形態による振り子式電動揺り椅子の伸縮部材部位の側面断面図である。
【図６】本考案の実施の形態による振り子式電動揺り椅子のシートバックと足踏み板の傾き作動図である。
【図７】本考案の実施の形態による振り子式電動揺り椅子の横倒れ状態の立体概念図である。
【図８】本考案の実施の形態による振り子式電動揺り椅子の振り子作動の作動図１である。
【図９】本考案の実施の形態による振り子式電動揺り椅子の振り子作動の作動図２である。
【図１０】本考案の実施の形態による振り子式電動揺り椅子の電気的制御装置の機能ブロック図である。
【図１１】本考案の実施の形態による振り子式電動揺り椅子のヘッドレスト部の構造概念図である。
【図１２】本考案の実施の形態による振り子式電動揺り椅子のヘッドレスト部の調整概念図である。
【符号の説明】
【００３８】
本新型
１０    シート
１１    椅子面部
１１１  スピンドル孔
１１２  第１の枢着孔
１１３  第２の枢着孔
１２    椅子底部
１２１  枢着孔座
１３    支持棒
１３１  吊るし孔
１３２  強化管
２０    椅子フレーム
２１    吊るしアーム
２２    当接部
２３    ローラー
３０    駆動器
３１    偏向部材３２    コンロッド
３２１  伸び端
４０    連動機構
４１    第１の転動孔
４２    第２の転動孔
４３    連動孔
４４    足踏み板
５０    シートバック
５１    推進孔５２    転動孔
５３    傾斜アーム
５４    穿孔６０    伸縮部材
６１    位置付け端
６２    伸縮端７０    ヘッドレスト部
７１    調整部材
７１１  主調整フレーム
７１２  副調整フレーム
７１３  主歯ブロック
７１４  副歯ブロック
７２    調整棒
７２１  係止溝
８０    電気的制御装置
８１    過負荷保護器８２    タイマー
【図１】
0003154780.tif 000003
【図２】
0003154780.tif 000004
【図３】
0003154780.tif 000005
【図４】
0003154780.tif 000006
【図５】
0003154780.tif 000007
【図６】
0003154780.tif 000008
【図７】
0003154780.tif 000009
【図８】
0003154780.tif 000010
【図９】
0003154780.tif 000011
【図１０】
0003154780.tif 000012
【図１１】
0003154780.tif 000013
【図１２】
0003154780.tif 000014